(57)【要約】【課題】利用者が環境負荷の低減を図ることができる有効な対策を提案することができる環境対策提案サービス方法及び環境対策提案サービスプログラムを提供する。【解決手段】環境経営進化提案システム２０の管理コンピュータ２１は、ネットワークＮを介して接続される端末１０から、顧客が行っている環境負荷低減の内容を取得し、この内容に対応付けられている点数を調査項目データ記憶部２２から取得し、分類毎に合計点を算出する。管理コンピュータ２１は、この合計点と進化度レベルデータ記憶部２３に記憶されている進化度レベル判定データとに基づいて分類毎のレベルを判定する。管理コンピュータ２１は、判定したレベルに対応する提案内容を提案内容データ記憶部２４から取得し、この提案内容と判定したレベルに関するデータを端末１０に送信する。【選択図】      図１
2005258800.tif 000002
【特許請求の範囲】
【請求項１】
ネットワークを介して端末に接続された管理コンピュータと、環境負荷低減についての取り組み内容に対応したレベルに関するデータを記録したレベルデータ記憶手段と、前記レベル毎にレベル向上のための提案情報を記録したレベル向上提案データ記憶手段とを備えた提案システムを用いて、環境対策に関する提案を行うサービス方法であって、
前記管理コンピュータが、
前記端末から利用者が既に実施している取り組み内容に関するデータを受信する受信段階と、
この取り組み内容に基づいて、前記レベルデータ記憶手段から前記利用者のレベルを特定する評価段階と、
前記レベル向上提案データ記憶手段から、前記評価段階で特定したレベルに基づいて提案情報を取得し、この提案情報を含む評価結果データを前記端末に送信する提案段階と
を含むことを特徴とする環境対策提案サービス方法。
【請求項２】
前記レベルデータ記憶手段は、取り組み内容毎に付与された点数を記録した点数データ記憶手段と、合計点数に対応したレベルを記録した判定データ記憶手段とを含んで構成され、
前記評価段階は、前記端末から受信した取り組み内容に関するデータに基づいて、前記点数データ記憶手段から点数を取得し、この点数を合計して合計点数を算出し、
前記判定データ記憶手段を用いて、この合計点数に対応したレベルを特定することを特徴とする請求項１に記載の環境対策提案サービス方法。
【請求項３】
前記点数データ記憶手段に記録された点数は、取り組み内容によって削減される二酸化炭素量に基づいて算出されたものであることを特徴とする請求項１又は２に記載の環境対策提案サービス方法。
【請求項４】
前記レベルデータ記憶手段には、前記取り組み内容が利用資源分類毎に記憶されており、
前記レベルは、利用資源分類毎に最高達成度に対する達成割合で構成されており、
前記評価段階は、利用資源分類毎に前記レベルを特定し、
前記提案段階は、前記評価段階で特定したレベルを利用資源分類毎で比較する表示を前記評価結果データに含めて送信することを特徴とする請求項１〜３のいずれか１つに記載の環境対策提案サービス方法。
【請求項５】
前記提案システムは、取り組み内容毎に、この取り組み内容に関する紹介情報を記録した紹介情報データ記憶手段を備え、
前記管理コンピュータが、前記受信段階で受信した取り組み内容に基づいて、前記紹介情報データ記憶手段から紹介情報を取得する紹介情報取得段階を更に備え、
前記提案段階は、前記紹介情報を前記評価結果データに含めて送信することを特徴とする請求項１〜４のいずれか１つに記載の環境対策提案サービス方法。
【請求項６】
ネットワークを介して端末に接続された管理コンピュータと、環境負荷低減についての取り組み内容に対応したレベルに関するデータを記録したレベルデータ記憶手段と、前記レベル毎にレベル向上のための提案情報を記録したレベル向上提案データ記憶手段とを備えた提案システムを用いて、環境対策に関する提案を行うサービスプログラムであって、
前記管理コンピュータを、
前記端末から利用者が既に実施している取り組み内容に関するデータを受信する受信手段、
この取り組み内容に基づいて、前記レベルデータ記憶手段から前記利用者のレベルを特
定する評価手段、及び
前記レベル向上提案データ記憶手段から、前記評価手段で特定したレベルに基づいて提案情報を取得し、この提案情報を含む評価結果データを前記端末に送信する提案手段
として機能させることを特徴とする環境対策提案サービスプログラム。
【請求項７】
前記レベルデータ記憶手段は、取り組み内容毎に付与された点数を記録した点数データ記憶手段と、合計点数に対応したレベルを記録した判定データ記憶手段とを含んで構成され、
前記評価手段は、前記端末から受信した取り組み内容に関するデータに基づいて、前記点数データ記憶手段から点数を取得し、この点数を合計して合計点数を算出し、前記判定データ記憶手段を用いて、この合計点数に対応したレベルを特定することを特徴とする請求項６に記載の環境対策提案サービスプログラム。
【請求項８】
前記点数データ記憶手段に記録された点数は、取り組み内容によって削減される二酸化炭素量に基づいて算出されたものであることを特徴とする請求項６又は７に記載の環境対策提案サービスプログラム。
【請求項９】
前記レベルデータ記憶手段には、前記取り組み内容が利用資源分類毎に記憶されており、
前記レベルは、利用資源分類毎に最高達成度に対する達成割合で構成されており、
前記評価手段は、利用資源分類毎に前記レベルを特定し、
前記提案手段は、前記評価手段で特定したレベルを利用資源分類毎で比較する表示を前記評価結果データに含めて送信することを特徴とする請求項６〜８のいずれか１つに記載の環境対策提案サービスプログラム。
【請求項１０】
前記提案システムは、取り組み内容毎に、この取り組み内容に関する紹介情報を記録した紹介情報データ記憶手段を備え、
前記管理コンピュータを、前記受信手段で受信した取り組み内容に基づいて、前記紹介情報データ記憶手段から紹介情報を取得する紹介情報取得手段として更に機能させ、
前記提案手段は、前記紹介情報を前記評価結果データに含めて送信することを特徴とする請求項６〜９のいずれか１つに記載の環境対策提案サービスプログラム。
【発明の詳細な説明】
【技術分野】
【０００１】
本発明は、環境負荷の低減度合いを評価して、環境負荷の低減を促進するための提案を行う環境対策提案サービス方法及び環境対策提案サービスプログラムに関する。
【背景技術】
【０００２】
近年、環境保全の観点から、各企業においても環境に与える負荷を低減する対策を検討していることが多い。例えば、企業内で使用する物品に関しても、環境負荷を考慮した物を使用することが望まれる。そこで、このような環境負荷軽減の取り組みを支援するための技術が開示されている（例えば、特許文献１参照。）。この特許文献１においては、サーバが、物品の販売数量、使用数量及び回収数量の少なくとも１つ以上に基づいて付与されるポイントを決定する。そして、サーバは、決定されたポイントを蓄積し、蓄積されたポイントの残高に基づいてユーザにサービスを提供する。これにより、環境負荷の低減に貢献した割合に応じたサービスを利用者に提供するので、環境負荷の低減を促進することができるとしている。
【特許文献１】特開２００３−９９５２０号公報（図１）
【発明の開示】
【発明が解決しようとする課題】
【０００３】
しかしながら、環境に影響を与える要因は様々である。このため、一部の要因に対して環境負荷軽減のための対策を行っても、他の要因に対しての対策が遅れている場合もある。これでは、環境を考慮した経営（環境経営）を行っているとは言い難い。
【０００４】
また、環境負荷の低減を図るために、どのような対策を行えばよいかがわからない場合がある。例えば、利用者が既に、ある程度の対策を行っている場合、利用者の状況に応じて、環境負荷低減を図ることができる有効な対策を提案することが大切である。
【０００５】
本発明は、上述した課題に鑑みてなされ、その目的は、利用者が環境負荷の低減を図ることができる有効な対策を提案することができる環境対策提案サービス方法及び環境対策提案サービスプログラムを提供することにある。
【課題を解決するための手段】
【０００６】
上記問題点を解決するために、請求項１に記載の発明は、ネットワークを介して端末に接続された管理コンピュータと、環境負荷低減についての取り組み内容に対応したレベルに関するデータを記録したレベルデータ記憶手段と、前記レベル毎にレベル向上のための提案情報を記録したレベル向上提案データ記憶手段とを備えた提案システムを用いて、環境対策に関する提案を行うサービス方法であって、前記管理コンピュータが、前記端末から利用者が既に実施している取り組み内容に関するデータを受信する受信段階と、この取り組み内容に基づいて、前記レベルデータ記憶手段から前記利用者のレベルを特定する評価段階と、前記レベル向上提案データ記憶手段から、前記評価段階で特定したレベルに基づいて提案情報を取得し、この提案情報を含む評価結果データを前記端末に送信する提案段階とを含むことを要旨とする。
【０００７】
請求項２に記載の発明は、請求項１に記載の環境対策提案サービス方法において、前記レベルデータ記憶手段は、取り組み内容毎に付与された点数を記録した点数データ記憶手段と、合計点数に対応したレベルを記録した判定データ記憶手段とを含んで構成され、前記評価段階は、前記端末から受信した取り組み内容に関するデータに基づいて、前記点数データ記憶手段から点数を取得し、この点数を合計して合計点数を算出し、前記判定デー
タ記憶手段を用いて、この合計点数に対応したレベルを特定することを要旨とする。
【０００８】
請求項３に記載の発明は、請求項１又は２に記載の環境対策提案サービス方法において、前記点数データ記憶手段に記録された点数は、取り組み内容によって削減される二酸化炭素量に基づいて算出されたものであることを要旨とする。
【０００９】
請求項４に記載の発明は、請求項１〜３のいずれか１つに記載の環境対策提案サービス方法において、前記レベルデータ記憶手段には、前記取り組み内容が利用資源分類毎に記憶されており、前記レベルは、利用資源分類毎に最高達成度に対する達成割合で構成されており、前記評価段階は、利用資源分類毎に前記レベルを特定し、前記提案段階は、前記評価段階で特定したレベルを利用資源分類毎で比較する表示を前記評価結果データに含めて送信することを要旨とする。
【００１０】
請求項５に記載の発明は、請求項１〜４のいずれか１つに記載の環境対策提案サービス方法において、前記提案システムは、取り組み内容毎に、この取り組み内容に関する紹介情報を記録した紹介情報データ記憶手段を備え、前記管理コンピュータが、前記受信段階で受信した取り組み内容に基づいて、前記紹介情報データ記憶手段から紹介情報を取得する紹介情報取得段階を更に備え、前記提案段階は、前記紹介情報を前記評価結果データに含めて送信することを要旨とする。
【００１１】
請求項６に記載の発明は、ネットワークを介して端末に接続された管理コンピュータと、環境負荷低減についての取り組み内容に対応したレベルに関するデータを記録したレベルデータ記憶手段と、前記レベル毎にレベル向上のための提案情報を記録したレベル向上提案データ記憶手段とを備えた提案システムを用いて、環境対策に関する提案を行うサービスプログラムであって、前記管理コンピュータを、前記端末から利用者が既に実施している取り組み内容に関するデータを受信する受信手段、この取り組み内容に基づいて、前記レベルデータ記憶手段から前記利用者のレベルを特定する評価手段、及び前記レベル向上提案データ記憶手段から、前記評価手段で特定したレベルに基づいて提案情報を取得し、この提案情報を含む評価結果データを前記端末に送信する提案手段として機能させることを要旨とする。
【００１２】
請求項７に記載の発明は、請求項６に記載の環境対策提案サービスプログラムにおいて、前記レベルデータ記憶手段は、取り組み内容毎に付与された点数を記録した点数データ記憶手段と、合計点数に対応したレベルを記録した判定データ記憶手段とを含んで構成され、前記評価手段は、前記端末から受信した取り組み内容に関するデータに基づいて、前記点数データ記憶手段から点数を取得し、この点数を合計して合計点数を算出し、前記判定データ記憶手段を用いて、この合計点数に対応したレベルを特定することを要旨とする。
【００１３】
請求項８に記載の発明は、請求項６又は７に記載の環境対策提案サービスプログラムにおいて、前記点数データ記憶手段に記録された点数は、取り組み内容によって削減される二酸化炭素量に基づいて算出されたものであることを要旨とする。
【００１４】
請求項９に記載の発明は、請求項６〜８のいずれか１つに記載の環境対策提案サービスプログラムにおいて、前記レベルデータ記憶手段には、前記取り組み内容が利用資源分類毎に記憶されており、前記レベルは、利用資源分類毎に最高達成度に対する達成割合で構成されており、前記評価手段は、利用資源分類毎に前記レベルを特定し、前記提案手段は、前記評価手段で特定したレベルを利用資源分類毎で比較する表示を前記評価結果データに含めて送信することを要旨とする。
【００１５】
請求項１０に記載の発明は、請求項６〜９のいずれか１つに記載の環境対策提案サービスプログラムにおいて、前記提案システムは、取り組み内容毎に、この取り組み内容に関する紹介情報を記録した紹介情報データ記憶手段を備え、前記管理コンピュータを、前記受信手段で受信した取り組み内容に基づいて、前記紹介情報データ記憶手段から紹介情報を取得する紹介情報取得手段として更に機能させ、前記提案手段は、前記紹介情報を前記評価結果データに含めて送信することを要旨とする。
【００１６】
（作用）
請求項１又は６に記載の発明によれば、提案システムは、ネットワークを介して端末に接続された管理コンピュータと、環境負荷低減についての取り組み内容に対応したレベルに関するデータを記録したレベルデータ記憶手段と、レベル毎にレベル向上のための提案情報を記録したレベル向上提案データ記憶手段とを備える。管理コンピュータは、端末から利用者が既に実施している取り組み内容に関するデータを受信する。管理コンピュータは、受信した取り組み内容に基づいて、レベルデータ記憶手段から前記利用者のレベルを特定する。管理コンピュータは、レベル向上提案データ記憶手段から、評価段階で特定したレベルに基づいて提案情報を取得し、この提案情報を含む評価結果データを端末に送信する。このため、利用者が行っている実際の取り組み内容に基づいた環境負荷低減の提案を行うことができる。従って、利用者が環境負荷の低減を図ることができる有効な対策を提案することができる。
【００１７】
請求項２又は７に記載の発明によれば、レベルデータ記憶手段は、取り組み内容毎に付与された点数を記録した点数データ記憶手段と、合計点数に対応したレベルを記録した判定データ記憶手段とを含んで構成される。管理コンピュータは、端末から受信した取り組み内容に関するデータに基づいて、点数データ記憶手段から点数を取得し、この点数を合計して合計点数を算出する。管理コンピュータは、判定データ記憶手段を用いて、この合計点数に対応したレベルを特定する。このため、管理コンピュータは、利用者が行っている取り組み内容に基づいて総合的に環境負荷低減についての利用者のレベルを評価することができる。
【００１８】
請求項３又は８に記載の発明によれば、点数データ記憶手段に記録された点数は、取り組み内容によって削減される二酸化炭素量に基づいて算出されたものである。このため、削減される二酸化炭素量という共通したパラメータを用いて、利用者の環境負荷低減のレベルを評価することができる。
【００１９】
請求項４又は９に記載の発明によれば、レベルデータ記憶部には、取り組み内容が利用資源分類毎に記憶されている。レベルは、利用資源分類毎に最高達成度に対する達成割合で構成されている。管理コンピュータは、利用資源分類毎に前記レベルを特定する。管理コンピュータは、特定したレベルを利用資源分類毎で比較する表示を評価結果データに含めて送信する。このため、管理コンピュータは、レベルが低く改善の余地が大きい利用資源分類を利用者が容易に把握できるように表示できる。従って、利用者は、バランスよく環境負荷の低減を行うことができる。
【００２０】
請求項５又は１０に記載の発明によれば、提案システムは、取り組み内容毎に、この取り組み内容に関する紹介情報を記録した紹介情報データ記憶手段を備える。管理コンピュータは、前記受信段階で受信した取り組み内容に基づいて、前記紹介情報データ記憶手段から紹介情報を取得する。管理コンピュータは、前記紹介情報を前記評価結果データに含めて送信する。従って、利用者は、取り組み内容に関する紹介情報を知ることができるので、環境負荷低減を具体的に行うことができる。
【発明の効果】
【００２１】
本発明によれば、利用者が環境負荷の低減を図ることができる有効な対策を提案することができる。
【発明を実施するための最良の形態】
【００２２】
以下、本発明を具体化した一実施形態を図１〜図１０に基づいて説明する。本実施形態においては、「空調」、「照明」、「ＯＡ機器」、「グリーン商品購入」、「水」、「ガソリン」及び「ゴミゼロ」の７つの利用資源分類から環境経営を評価する場合を想定する。
【００２３】
更に、本実施形態では、顧客が行っている環境負荷低減の取り組み内容についての入力を担当者が、管理コンピュータ２１に接続されている端末１０を行う場合を想定している。従って、本実施形態では、図１に示すように、端末１０が用いられる。この端末１０は、顧客に関するデータを入力したり、顧客の環境経営の評価や提案を出力したりするために用いられる。具体的には、端末１０は、例えばコンピュータ端末であり、ディスプレイ、キーボード及びマウスを備える。ディスプレイは、後述する環境経営の調査シート表や環境経営の評価及び提案に関する進化度表を表示する。更に、キーボードやマウスは、環境経営の調査シートの回答を選択したり、データの送信や印刷などの各種指示を行ったりするために用いる。また、端末１０は、ネットワークＮを介して、環境経営進化提案システム２０に接続されており、この環境経営進化提案システム２０と情報の送受信を行う。
【００２４】
環境経営進化提案システム２０は、管理コンピュータ２１を備える。管理コンピュータ２１は、図示しないＣＰＵ、ＲＡＭ及びＲＯＭ等を有し、後述する処理（受信段階、評価段階、提案段階及び紹介情報取得段階等を含む処理）を行う。そして、このための環境対策提案サービスプログラムを実行することにより、管理コンピュータ２１は、受信手段、評価手段、提案手段及び紹介情報取得手段等として機能する。
【００２５】
また、管理コンピュータ２１は、点数データ記憶手段及び紹介情報データ記憶手段としての調査項目データ記憶部２２、判定データ記憶手段としての進化度レベルデータ記憶部２３、レベル向上提案データ記憶手段としての提案内容データ記憶部２４及び顧客データ記憶部２５に接続されている。なお、調査項目データ記憶部２２と進化度レベルデータ記憶部２３により、レベルデータ記憶手段が構成される。
【００２６】
図２に示すように、調査項目データ記憶部２２は、顧客の環境経営を評価するための調査項目データ２２０を記録している。調査項目データ２２０は、分類識別子、内容識別子、内容、基準点数及び項目対応内容に関するデータを含んで構成されている。
【００２７】
分類識別子データ領域には、環境対応評価を行う分類を特定するための分類識別子に関するデータが記録されている。本実施形態では、環境対応評価を７分類で行うため、この分類識別子データ領域には、「１」〜「７」までのいずれかのデータが記録される。この分類識別子には、環境評価を行う分類名がそれぞれ設定されている。本実施形態では、分類識別子の「１」が「空調」、「２」が「照明」、「３」が「ＯＡ機器」、「４」が「グリーン商品購入」、「５」が「水」、「６」が「ガソリン」、「７」が「ゴミゼロ」に設定されている。
【００２８】
内容識別子データ領域には、同一分類内において調査項目の内容を特定するための内容識別子に関するデータが記録されている。このため、分類識別子及び内容識別子に基づいて、調査項目の内容を特定することができる。
【００２９】
内容データ領域には、調査項目の内容に関するデータが記録されている。例えば、この内容には、「空調設備を購入・設置する場合に省エネタイプ購入等の決め事があり、実践
されていますか」などがある。
【００３０】
基準点数データ領域には、この調査項目の内容に付された基準点数に関するデータが記録されている。この基準点数は、この調査項目の内容に該当する場合に、その環境対応を評価するための点数である。この基準点数は、その調査項目の内容が行われたときに削減されるＣＯ２（二酸化炭素）排出量に基づいて決定される。なお、本実施形態では、調査項目の内容をすべて行う場合に、１００点満点となるように設定している。
【００３１】
項目対応内容データ領域には、この調査項目の内容を具体的に行った先人の事例に関するデータが記録されている。例えば、「空調設備の運用ルールがあり、実践されていますか」という調査項目であれば、その「空調設備の運用ルール」についての「先進事例」が記録されている。なお、このデータが紹介情報に関するデータに該当する。
【００３２】
一方、進化度レベルデータ記憶部２３には、図３に示すように、進化度レベル判定データ２３０が、分類毎に記録されている。この進化度レベル判定データ２３０は、進化点数と進化度のレベルとを対応付けるためのデータである。ここで、本実施形態では、環境経営進化提案システム２０は、進化度を「０」〜「５」のレベルの６段階で評価する。例えば、「空調」の分類においては、点数が「１〜９」のときには進化度「レベル１」、点数が「１０〜１４」のときには進化度「レベル２」、点数が「１５〜１９」のときには、進化度「レベル３」、点数が「２０〜２４」のときには進化度「レベル４」、点数が「２５〜３０」のときには進化度「レベル５」となっている。ただし、進化点数が「０」の場合には、どの分類においても進化度は「レベル０」となっている。
【００３３】
図４に示すように、提案内容データ記憶部２４には、進化度のレベルに応じて提案を行う提案内容データ２４０が記録されている。この提案内容データ２４０は、分類識別子、進化度及び提案内容に関するデータを含んで構成されている。
【００３４】
分類識別子データ領域には、提案内容の分類を特定するための分類識別子に関するデータが記録される。
進化度データ領域には、提案内容を提案するときの進化度に関するデータが記録される。
【００３５】
提案内容データ領域には、提案する内容に関するデータが記録される。例えば、この提案内容には、分類が「空調」の場合、進化度が「レベル０」の「省エネタイプの商品の提供」や、進化度が「レベル１」の「熱効率向上の先進事例」などがある。なお、この提案内容データ領域に記録されるデータが、レベル向上のための提案情報に関するデータに該当する。
【００３６】
また、顧客データ記憶部２５には、顧客データ（図示せず）が記録される。この顧客データは、顧客識別子、顧客名、進化点数、進化度、評価日時に関するデータを含んで構成されている。
【００３７】
顧客識別子データ領域には、この顧客を特定するための顧客識別子に関するデータが記録される。
顧客名データ領域には、この顧客の名前に関するデータが記録される。
【００３８】
進化点数データ領域には、この顧客の進化点数に関するデータが記録される。
進化度データ領域には、この顧客の進化度のレベルに関するデータが記録される。
評価日時データ領域には、この顧客の進化点数及び進化度を算出して顧客データ記憶部２５に記録したときの日時が記録される。
【００３９】
次に、本実施形態における環境経営進化提案システムの処理手順について、図５〜図１０に基づいて説明する。
まず、端末１０が環境経営進化提案システム２０にアクセスを行う（ステップＳ１−１）。すると、環境経営進化提案システム２０の管理コンピュータ２１は、調査項目データ２２０を調査項目データ記憶部２２から取得して調査シートデータを生成する。そして、管理コンピュータ２１は、この調査シートデータを端末１０に送信する（ステップＳ１−２）。
【００４０】
端末１０は、受信したデータに基づいて図６に示すような調査シート画面５００をディスプレイに表示する（ステップＳ１−３）。
この調査シート画面５００には、図６に示すように、調査項目の内容が分類毎に表示されている。また、各調査項目には、その項目に対して「はい」又は「いいえ」の回答を行うラジオボタンが含まれる。更に、調査シート画面５００には、顧客名入力欄５０５と、送信ボタン５０６とが含まれる。
【００４１】
そこで、端末１０は入力処理を行う（ステップＳ１−４）。この入力処理において、顧客名入力欄５０５に顧客名に関するデータが入力される。また、表示された調査項目の内容に顧客が該当する場合には、そのラジオボタンが「はい」に設定され、調査項目の内容に顧客が該当しない場合には、そのラジオボタンが「いいえ」に設定される。
【００４２】
そして、すべての調査項目についてラジオボタンが設定されて、送信ボタン５０６が選択されると、端末１０は、取得した回答データを環境経営進化提案システム２０に送信する（ステップＳ１−５）。この回答データには、調査項目を特定するための分類識別子のデータ及び内容識別子のデータと、その調査項目の「はい」又は「いいえ」を特定する回答データが含まれる。また、端末１０は、この回答データとともに、顧客を特定するためのデータを送信する。
【００４３】
データを受信した環境経営進化提案システム２０の管理コンピュータ２１は、進化点数の算出を行う（ステップＳ１−６）。具体的には、まず、管理コンピュータ２１は、受信した回答データの分類識別子及び内容識別子に基づいて、「はい」と回答された調査項目を特定する。次に、管理コンピュータ２１は、特定した調査項目の基準点数を調査項目データ記憶部２２から取得する。更に、管理コンピュータ２１は、取得した基準点数を分類毎に合計し、その合計点数を進化点数として算出する。
【００４４】
次に、管理コンピュータ２１は、進化度のレベル判定を行う（ステップＳ１−７）。具体的には、管理コンピュータ２１は、ステップＳ１−６において算出した進化点数のデータと、進化度レベルデータ記憶部２３の進化度レベル判定データ２３０とを比較する。そして、算出した進化点数を含む進化度のレベルを判定する。
【００４５】
次に、管理コンピュータ２１は、提案内容の抽出を行う（ステップＳ１−８）。具体的には、管理コンピュータ２１は、分類毎に算出された進化度のレベルから、すなわち分類識別子と進化度に関するデータに基づいて、提案内容データ２４０から提案内容を取得する。
【００４６】
次に、管理コンピュータ２１は、顧客データ記憶部２５に顧客データを記録する（ステップＳ１−９）。具体的には、管理コンピュータ２１は、算出した進化点数、進化度に関するデータを記録する。また、管理コンピュータ２１は、端末１０から受信した顧客名データと、現在の時刻とを顧客データ記憶部２５に記録する。
【００４７】
次に、管理コンピュータ２１は、進化度表データを作成する（ステップＳ１−１０）。具体的には、まず、管理コンピュータ２１は、分類別の進化点数に基づいてレーダチャートのデータを作成する。更に、管理コンピュータ２１は、「空調」、「照明」及び「０Ａ機器」の進化点数の合計を省エネ進化度として算出する。更に、管理コンピュータ２１は、「グリーン商品購入」、「水」、「ガソリン」及び「ゴミゼロ」の進化点数の合計を省資源進化度として算出する。そして、管理コンピュータ２１は、省エネ進化度を縦軸、省資源進化度を横軸として、顧客の現況を表わしたポートフォーリオデータを作成する。
【００４８】
次に、管理コンピュータ２１は、作成した進化度表データの送信を行う（ステップＳ１−１１）。具体的には、管理コンピュータ２１は、算出した進化点数、進化度のレベル、提案内容、レーダチャート、ポートフォーリオグラフデータ、調査項目、回答、基準点数などに関するデータを端末１０に送信する。
【００４９】
端末１０は、環境経営進化提案システム２０から受信した進化度表データに基づいて、図７に示す進化度表画面６００をディスプレイに表示する（ステップＳ１−１２）。
ここで、進化度表画面６００には、環境経営進化度採点結果表示６１０、全体評価提案表示６２０及び詳細提案表示６３０が含まれる。環境経営進化度採点結果表示６１０には、図８に示すように、分類毎の進化点数及び進化度のレベルが表示される。また、全体評価提案表示６２０には、図９に示すように、進化度の位置付けに関する情報とレベルアップ提案が含まれる。進化度の位置付けに関する情報には、分類別のレーダチャート、ポートフォーリオグラフ及び提案内容が表示される。この分類別レーダチャートを用いることにより、顧客の環境負荷低減のバランスを把握することができる。また、ポートフォーリオグラフを用いることにより、省エネ進化度及び省資源進化度の改善余地を把握することができる。
【００５０】
更に、進化度表画面６００の詳細提案表示６３０は、利用者への具体的な提案として「お客様への具体的なお役立ちご提案」を含む。この詳細提案表示６３０は、分類毎に、各調査項目の内容、それに対応する回答、基準点数、進化点数及び進化度レベル判定が表示されている。ここで、図７の詳細提案表示６３０についての部分拡大図を、図１０に示す。図１０は、詳細提案表示６３０の「空調」の分類表示６３１及び「照明」の分類表示６３２を拡大して表示している。このように詳細提案表示６３０では、回答内容に対して顧客が達成できない項目の明示と、それに対する対策に関して具体例が表示される。この具体例は、例えば、先進事例の紹介などである。
【００５１】
以上により、環境経営進化提案システム２０は、顧客に対して環境負荷低減を図るため対策内容についての提案を行う。
本実施形態によれば、以下のような効果を得ることができる。
【００５２】
・本実施形態では、管理コンピュータ２１は、端末１０からの回答データに基づいて顧客が現在行っている環境負荷低減の内容を取得し、この内容の基準点数を取得する。管理コンピュータ２１は、取得した基準点数を進化点数として合計し、この合計点に対応するレベルを判定する（ステップＳ１−７）。管理コンピュータ２１は、判定したレベルを有する提案内容を抽出して（ステップＳ１−８）、この内容を含む進化度表を端末１０に送信して表示する。従って、管理コンピュータ２１は、顧客が行っている実際の取り組み内容に基づいた環境負荷低減の提案を行うことができる。一方、顧客は、管理コンピュータ２１からの提案に基づいて、更なる環境負荷の低減を図ることができる。
【００５３】
・本実施形態では、管理コンピュータ２１は、各分類が６段階で評価するように設定し、その進化度のレベルを分類毎に判定する（ステップＳ１−７）。そして、上記実施形態では、進化度表画面６００においては、これらの分類のレベルをレーダチャートで表示す
る。このため、改善の余地が大きい、レベルの低い分類を容易に把握することができる。従って、顧客は、バランスよく環境負荷の低減を行うことができる。
【００５４】
・本実施形態では、管理コンピュータ２１は、調査項目データ記憶部２２に記録されている基準点数は、その項目を行うことにより低減される環境負荷（二酸化炭素ＣＯ２の削減量）などに基づいて算出する。ここで、二酸化炭素排出量は、環境に大きな影響を与える。このため、管理コンピュータ２１は、顧客が行っている取り組み内容に基づいて環境負荷の低減について、二酸化炭素排出量という共通したパラメータを用いて、顧客のレベルを評価することができる。
【００５５】
・本実施形態では、管理コンピュータ２１は、調査項目データ記憶部２２に記録されている調査シートデータを端末１０に送信する。そして、管理コンピュータ２１は、受信した調査シートの項目に対応する回答データを取得する。更に、管理コンピュータ２１は、取得した回答で「いいえ」となっている項目の項目対応内容を取得して、この内容を含む進化度表データを生成する（ステップＳ１−１０）。従って、顧客は、自分が行っていなかった環境負荷の低減に関する内容を具体的に知ることができる。このため、顧客は、都合に合わせて、他の環境負荷の低減に関する情報を取得することができる。
【００５６】
なお、上記実施形態は以下のように変更してもよい。
○上記実施形態においては、調査シート画面５００に表示された取り組み内容に対する回答によって、環境負荷の低減に対する顧客のレベルを評価した。レベルを評価する内容は、これに限らず、例えば、実際に行っている内容を顧客に任意に入力してもらい、この内容に基づいて、顧客のレベルを評価してもよい。具体的には、管理コンピュータ２１は、環境負荷の低減に役立つ内容と、これに対する点数とを関連付けた記憶部を備える。管理コンピュータ２１は、顧客に入力してもらった環境負荷の低減に対する取り組み内容を端末１０から受信すると、この取り組み内容を記録する。そして、この内容からキーワードを抽出し、このキーワードに基づいて、記憶部に記録された内容と同じ又は一番近い内容を抽出する。そして、管理コンピュータ２１は、抽出した内容に付与された点数を取得する。更に、管理コンピュータ２１は、この点数に基づいて顧客のレベルを評価し、このレベルに対応する提案を端末１０に送信する。
【００５７】
○上記実施形態においては、取り組み内容を行うことにより削減されるＣＯ２に基づいて、その内容に付与する点数を決定した。これに限らず、環境負荷の低減を評価できる量、例えばＴＣＯなどに基づいて点数を決定してもよい。
【００５８】
○上記実施形態においては、各分類のレベルは、取り組み内容に付与された点数を合計した合計点数に基づいて行った。これに代えて、例えば、それぞれの取り組み内容にレベルを付与し、このうち最も低いレベルや最も高いレベルを、その分類における進化度のレベルとして評価してもよい。
【００５９】
○上記実施形態においては、顧客が行っている環境負荷低減の取り組み内容についての入力を担当者が、管理コンピュータ２１に接続されている端末１０を用いて行った。これに代えて、顧客の端末１０に管理コンピュータ２１を接続し、顧客が行っている環境負荷低減の取り組み内容についての入力を顧客自身が行うようにしてもよい。
【００６０】
○上記実施形態においては、各分類のレベルをレーダチャートで表示した。これに代えて、各分類のレベルが容易に把握できる表示であれば、例えば棒グラフなど、他の方法で表示してもよい。
【００６１】
○上記実施形態においては、調査項目の内容をすべて行う場合に、１００点満点となる
ように設定した。これに限らず、調査項目の内容をすべて行った場合の満点の点数は、１０００点となるように設定してもよい。
【図面の簡単な説明】
【００６２】
【図１】実施形態におけるシステムの概略図。
【図２】調査項目データ記憶部に記録されたデータの説明図。
【図３】進化度レベルデータ記憶部に記録されたデータの説明図。
【図４】提案内容データ記憶部に記録されたデータの説明図。
【図５】実施形態における処理手順を説明するための流れ図。
【図６】調査シート画面を説明するための説明図。
【図７】進化度表画面を説明するための説明図。
【図８】環境経営進化度採点結果表示を説明するための部分拡大図。
【図９】全体評価提案表示を説明するための部分拡大図。
【図１０】詳細提案表示の一部を説明するための部分拡大図。
【符号の説明】
【００６３】
Ｎ…ネットワーク、１０…端末、２０…提案システムとしての環境経営進化提案システム、２１…管理コンピュータ、２２…点数データ記憶部及び紹介情報データ記憶手段としての調査項目データ記憶部、２３…判定データ記憶部としての進化度レベルデータ記憶部、２４…提案内容データ記憶部。
【図１】
2005258800.tif 000003
【図２】
2005258800.tif 000004
【図３】
2005258800.tif 000005
【図４】
2005258800.tif 000006
【図５】
2005258800.tif 000007
【図６】
2005258800.tif 000008
【図７】
2005258800.tif 000009
【図８】
2005258800.tif 000010
【図９】
2005258800.tif 000011
【図１０】
2005258800.tif 000012